(57)【要約】      （修正有）【課題】本体に摺動によって挿抜される挿抜体の外面において、当該挿抜の際に傷が発生することを防止するための簡易な、挿抜体の案内構造を備えた電子装置を提供する。【解決手段】案内部５４を内部に備えた本体５１と、案内部において摺動されることにより本体に対し挿抜される挿抜体とを備えた挿抜体５２の案内構造であって、案内部は、前記摺動の際に挿抜体と接する摺動面と、摺動面に接続され前記挿抜体の摺動を案内する壁部とを備え、壁部は、前記摺動面に対し鈍角をなしていることを特徴とする。【選択図】        図１０
2004296694.tif 000002
【特許請求の範囲】
【請求項１】
案内部を内部に備えた本体と、
前記案内部において摺動されることにより前記本体に対し挿抜される挿抜体とを備えた挿抜体の案内構造において、
前記案内部は、前記摺動の際に前記挿抜体と接する摺動面と、前記摺動面に接続され前記挿抜体の摺動を案内する壁部とを備え、
前記壁部は、前記摺動面に対し鈍角をなしていることを特徴とする挿抜体の案内構造。
【請求項２】
前記案内部の前記壁部であって前記挿抜体の挿入方向の上流側の端部に角度をなして第１案内導入部が接続され、
前記挿抜体の前記案内部への挿入が導入される部分が拡開されていることを特徴とする請求項１記載の挿抜体の案内構造。
【請求項３】
内部に２つの案内部が一組として対向配置された本体と、
前記２つの案内部が対向する方向と略垂直方向に摺動されることにより前記本体に対し挿抜される挿抜体とを備えた挿抜体の案内構造において、
前記案内部の夫々は、前記摺動の際に前記挿抜体と接する摺動面と、前記摺動面の両端に接続され前記挿抜体の摺動を案内する２つの壁部とを備え、
前記壁部の夫々は、前記摺動面に対し鈍角をなしていることを特徴とする挿抜体の案内構造。
【請求項４】
前記２つの案内部の前記夫々の壁部であって前記挿抜体の挿入方向の上流側の端部に角度をなして第１案内導入部が夫々接続され、
前記挿抜体の前記案内部への挿入が導入される部分が拡開されていることを特徴とする請求項３記載の挿抜体の案内構造。
【請求項５】
前記案内部は、前記本体の内部において前記摺動の方向に延設されたレールであることを特徴とする請求項１乃至４記載の挿抜体の案内構造。
【発明の詳細な説明】
【０００１】
【発明の属する技術分野】
本発明は、挿抜体の案内構造に関し、より具体的には、案内部を内部に備えた本体と、前記案内部において摺動させることにより前記本体に対し挿抜される挿抜体とを備えた挿抜体の案内構造に関する。
【０００２】
【従来の技術】
近年の電子装置等においては、機能毎、回線数の単位毎にパッケージが構成され、パッケージ毎に、増減設が図られ、故障時や機能変更時等に交換等できる構成となっている。
【０００３】
かかる電子装置では、ユニットが、所定の剛性を備え略箱形の形状を有する装置本体の内部に独立して着脱できるように設けられる。また、装置本体として、電磁波遮蔽の機能を備えた容器が採用されることが多い。これは、ユニットに設けられている電子部品やプリント配線板のパターン等から電子装置の外部への電波放射や同じ電子装置内で隣接するパッケージ間の放射電波の授受に起因する当該電子装置の誤動作や、当該電子装置の保守時等において人体との接触等により発生する静電気の放電による誤動作等を防止するためである。
【０００４】
更に、近年、環境等に悪影響を与えない所謂グリーン設計が求められている。そのため、電子装置の設置場所において美観が必ずしも重要視されないことが多い装置内面等に、メッキや塗装等の表面処理を必要せず耐食性の高い金属部材であるステンレス材等をそのまま使用して、装置本体が製作されることが多い。
【０００５】
図１は、従来の電子装置の第１の例を示す斜視図である。
【０００６】
図１を参照するに、従来の電子装置１０は、略箱形の形状を備えた装置本体１１と、装置本体の内部に挿抜されるユニット１２等から大略構成される。
【０００７】
装置本体１１の内部の上部には上側案内レール１３が上側案内レール取付台２０を介して、下部には下側案内レール１４が下側案内レール取付台２１を介して、電子装置１０の幅方向（Ｙ１−Ｙ２方向）に複数設けられている。上側案内レール１３と下側案内レール１４とは、装置本体１１の内部において対向して配置されている。
【０００８】
上側案内レール取付台２０の正面側（Ｘ１側）の面には螺子孔２０−１が、下側案内レール取付台２１の正面側（Ｘ１側）の面には螺子孔２１−１が形成されている。また、装置本体１１の奥側（Ｘ２側）には、バックプレーン１８が設けられている。バックプレーン１８には、コネクタ１９が備えられている。
【０００９】
ユニット１２の正面側（Ｘ１側）には、正面板１５が備えられている。正面板１５の上部及び下部には、上述の螺子孔２０−１及び２１−１に螺合される摘み螺子部１５−１が設けられている。また、図示を省略するが、ユニット１２の背面側（Ｘ２側）には、上述の装置本体１１のバックプレーン１８に備えられたコネクタ１９と嵌合するコネクタが備えられている。
【００１０】
ユニット１２のＹ１−Ｙ２方向側には、ユニット側面１６が設けられている。ユニット側面１６は、ユニット１２の内部に備えられたプリント配線板を電磁波障害（ＥＭＩ：Ｅｌｅｃｔｒｏｍａｇｎｅｔｉｃ  Ｉｎｔｅｒｆｅｒｅｎｃｅ）対策として被覆するものであり、圧延鋼板等の金属から成るカバーとして構成されている。
【００１１】
より具体的には、ユニット側面１６は、上部と下部とに、Ｙ−Ｚ方向における断面が曲面を形成しているユニット側面曲面部３９と、ユニット側面曲面部３９同士の間に設けられ、平坦な面を有するユニット側面平坦面部３８等から構成される。
【００１２】
ユニット１２は、上側案内レール１３及び下側案内レール１４に案内されて、摺動により、装置本体１１に対しＸ１−Ｘ２方向に挿抜される。ユニット１２が、装置本体１１の内部に挿入されると、図示を省略するユニット１２のコネクタは、上述の装置本体１１のバックプレーン１８に備えられたコネクタ１９と嵌合接続される。更に、ユニット１２の正面板１５に設けられた摘み螺子部１５−１を装置本体１１に設けられた螺子孔２０−１及び２１−１に螺合することにより、ユニット１２の装置本体１１への実装が完成される。
【００１３】
図２は、図１に示す従来の電子装置１０において、図１において斜線面で切断したときの要部の断面図である。図３は、図２において点線で囲んだ部分を拡大して示した図である。なお、図３では、上側案内レール１３及びその近傍が示されているが、下側案内レール１４及びその近傍もこれと同様の構造（形状及び大きさ）であるため図示を省略する。
【００１４】
図２を参照するに、上述の装置本体１１における上側案内レール１３及び下側案内レール１４は、夫々板金加工により成形され、互いに対向している部分が開放している略コの字形の断面形状を備える。具体的には、底面部１３−１及び１４−１の両端を略９０度折曲して壁部１３−２及び１４−２が設けられている。
【００１５】
図３を参照するに、ユニット側面１６が上側案内レール１３（下側案内レール１４）を円滑に摺動できるように、上述の上側案内レール１３（下側案内レール１４）の互いに対向する壁部１３−２（１４−２）の間隔である長さＥは、ユニット１２の幅（Ｙ１−Ｙ２方向の長さ）である長さＡに、所定の隙間として長さＢを加えた長さになるように設定されている。
【００１６】
また、図２及び図３を参照するに、互いに対向して配置された上側案内レール１３と下側案内レール１４との間の長さＦは、ユニット側面１６の高さ（Ｚ１−Ｚ２方向の長さ）である長さＣに、所定の隙間として長さＤを加えた長さになるように設定されている。
【００１７】
図１乃至図３に示した従来例では、上側案内レール１３及び下側案内レール１４は、板金加工により成形された従来例を示したが、別の製造方法で製造した例を図４に示す。図４は、従来の電子装置の第２の例を示す斜視図である。なお、図４においては、図１に示す従来の例と同じ部分については同じ符号を付してその説明を省略し、異なる部分についてのみ説明する。
【００１８】
図４を参照するに、従来の第２の例の電子装置３０では、装置本体３１の内部の上側には上側案内レール体３３が、下側には下側案内レール体３４が設けられている。上側案内レール体３３および下側案内レール体３４は、複数のユニット１２を案内するための複数の案内レール（例えば、図１に示す複数の上側案内レール１３及び複数の下側案内レール１４）が、ダイキャスト、切削或いは射出成型等で一体として成形されている。
【００１９】
但し、図４に示す例においても、上側案内レール体３３（下側案内レール体３４）の、互いに対向する壁部３３−２（３４−２）の間隔である長さＥも、互いに対向して配置された上側案内レール体３３と下側案内レール体３４との間の長さＦも、図１乃至図３に示す例の場合と同じように設定される。
【００２０】
なお、従来においては、サブラック装置と、サブラック装置内にその前面側から挿入されて実装され、合成樹脂から成るスライダ部材を備えた複数のプラグインユニットとから成る通信装置がある。（例えば、特許文献１参照）。
【００２１】
【特許文献１】
国際公開ＷＯ００／７４４５４号（第１図）
【００２２】
【発明が解決しようとする課題】
ところで、一般に、製作図面の寸法や角度で示す通りに誤差なく構造体を製作することは不可能であるため、製作上での誤差によるばらつきを許容し得る値として公差が設定される。即ち、製作図面上に指示した寸法や角度から増加方向及び減少方向の双方、又は増加又は減少の何れかの方向に特定の値として公差が設定され、設定した公差を超えないように製作が行われる。
【００２３】
しかしながら、前述の図１乃至図４に示す従来の例における電子装置１０及び３０においては、上述の公差の範囲内で製作しても以下の問題が存在していた。
【００２４】
図５乃至図６は、図１に示す電子装置１０における第１乃至第３の問題を説明するための図である。なお、図５乃至図６においては、図２と同様に、図１に示される電子装置１０を、図１において斜線面で切断したときの要部の断面図を示している。
【００２５】
図５を参照して、第１の問題を説明する。
【００２６】
装置本体１１において、左側（Ｙ２側）に設けられている左側板３５と下側案内レール１４における右側（Ｙ１側）の壁部１４−２との間の間隔である長さＧが、製作図面の寸法値よりも公差の範囲内で小さく製作され、且つ、左側（Ｙ２側）に設けられている左側板３５と上側案内レール１３における左側（Ｙ２側）の壁部１３−２との間の間隔である長さＨが、製作図面の寸法値よりも公差の範囲内で大きく製作された場合、上側案内レール１３は下側案内レール１４に対し、相対的に右側（Ｙ１側）に位置することとなる。従って、かかる上側案内レール１３及び下側案内レール１４に案内されて挿入されたユニット１２は、装置本体１１に対し、角度Ｉ傾くこととなる。
【００２７】
前述のように、上側案内レール１３の壁部１３−２も、下側案内レール１４の壁部１４−２も、底面部１３−１及び１４−１の両端を略９０度折曲して設けられているため、右側（Ｙ１側）の壁部１４−２の先端である壁部先端部１４−３および左側（Ｙ２側）の壁部１３−２の先端である壁部先端部１３−３は、ユニット１２のユニット側面１６に当接する。
【００２８】
従って、ユニット１２を装置本体１に挿抜するために、ユニット１２を上側案内レール１３及び下側案内レール１４において摺動すると、壁部先端部１３−３及び１４−３とユニット１２のユニット側面１６との接触により、ユニット側面１６に擦れが発生してしまう。
【００２９】
次に、図６を参照して、第２の問題を説明する。
【００３０】
装置本体１１の上側案内レール１３における左側（Ｙ２側）の壁部１３−２と底面部１３−１とが成す角度Ｊが、図６に示されるように、設計値である９０度よりも公差の範囲内で鋭角になるように壁部１３−２が折曲された場合も、左側（Ｙ２側）の壁部１３−２の先端である壁部先端部１３−３が、ユニット１２のユニット側面１６に当接する。
【００３１】
従って、ユニット１２を装置本体１１に挿抜するために、ユニット１２を上側案内レール１３及び下側案内レール１４において摺動すると、壁部先端部１３−３及び１４−３とユニット１２のユニット側面１６との接触により、ユニット側面１６に擦れが発生してしまう。
【００３２】
次に、図１に示す電子装置１０における第３の問題を説明する。上述の第１及び第２の問題は、装置本体１０における設計寸法及び設計角度の公差に起因するものであったが、第３の問題は、装置本体１０における上記公差以外の事項に起因するものである。
【００３３】
図７は、図１に示す電子装置１０における第３の問題を説明するための図である。なお、図７においては、図２と同様に、図１に示される電子装置１０を、図１において斜線面で切断したときの要部の断面図を示している。また、点線で囲まれた部分は拡大して示している。
【００３４】
前述のように、上側案内レール１３及び下側案内レール１４は、板金加工により成形されている。板金の切断加工においては、加工対象物の材質の許容応力を超えるせん断力を印加することにより当該加工対象物を破断させるのが一般的である。
【００３５】
しかしながら、かかる破断により、図７において拡大して示されるように、壁部１３−２の端部である切断端の角部に、鋭利なバリ３６が発生する可能性がある。そのため、ユニット１２を装置本体１１に挿抜するためにユニット１２を上側案内レール１３及び下側案内レール１４において摺動すると、バリ３６とユニット１２のユニット側面１６との接触により、ユニット側面１６に擦れが発生してしまう。
【００３６】
上述の問題等により発生した擦れを原因として、具体的には、図８及び図９に示す課題が発生する。ここで、図８は、擦れにより傷が発生したユニット１２を説明するための図であり、ユニット１２の斜視図である。図９は、図８に示すユニット１２において、図８において斜線面で切断したときの断面図である。なお、図９においては、見やすくするために、ユニット１２の高さ方向（Ｚ１−Ｚ２方向）及び幅方向（Ｙ１−Ｙ２方向）の長さを短くして表している。
【００３７】
図８を参照するに、上述の問題等によりユニット１２のユニット側面１６の擦れが発生した箇所に、ユニット１２の摺動方向（Ｘ１−Ｘ２方向）にスジ状の傷３７が発生する。
【００３８】
かかる傷３７が、図９に示されるように、何ら傷等がなくても光の反射が均一とならない前述のユニット側面曲面部３９に発生した場合はともかく、何ら傷等がなければ光が均一に反射する前述のユニット側面平坦面部３８に発生すると、均一な光の反射を乱し、著しく美観を低下させてしまう。ユニット側面１６は、例えば、圧延鋼板から成り、製造工程においてユニット側面平坦面部３８は鏡面又は鏡面に近い光沢となることが多く、このような傷３７の発生によって外観の美観を損失してしまうと、製品価値を著しく下げてしまい深刻な問題となる。
【００３９】
上述の傷３７の発生は、現在の上側案内レール１３及び下側案内レール１４等の製造方法において回避することは困難であり、また、上述の傷３７の発生を回避するために、部品を追加して対処するとなると、製品コストの高騰や装置構成の複雑化を招致することとなり、好ましくない。
【００４０】
なお、前述のように、図４に示した従来の第２の例の電子装置３０においては、装置本体３１の内部の上側には上側案内レール体３３が、下側には下側案内レール体３４が、複数のユニット１２を案内するための複数の案内レールを射出成型又はダイキャスト等で一体として、成形されている。かかる射出成形等においては、成形後に成形のために使用した型を分解して成形品を簡単に取り出すべく、分解過程で型を移動する方向に対し垂直となる分割面の周囲に設けられた壁面に、抜き勾配と呼ばれる斜面が一般に形成されている。
【００４１】
しかしながら、例えばダイキャスト等では、かかる抜き勾配は前記型の移動方向に対して約１乃至５度程度と小さく、上述の傷３７の発生を回避するに至っていない。
【００４２】
従って、本発明の目的は、上述の問題点に鑑み、本体に摺動によって挿抜される挿抜体の外面において、当該挿抜の際に傷が発生することを防止するための簡易な、挿抜体の案内構造を備えた電子装置を提供することにある。
【００４３】
【課題を解決するための手段】
上記目的は、案内部を内部に備えた本体と、前記案内部において摺動されることにより前記本体に対し挿抜される挿抜体とを備えた挿抜体の案内構造において、前記案内部は、前記摺動の際に前記挿抜体と接する摺動面と、前記摺動面に接続され前記挿抜体の摺動を案内する壁部とを備え、前記壁部は、前記摺動面に対し鈍角をなしていることを特徴とする挿抜体の案内構造により達成される。
【００４４】
上記目的はまた、内部に２つの案内部が一組として対向配置された本体と、前記２つの案内部が対向する方向と略垂直方向に摺動されることにより前記本体に対し挿抜される挿抜体とを備えた挿抜体の案内構造において、前記案内部の夫々は、前記摺動の際に前記挿抜体と接する摺動面と、前記摺動面の両端に接続され前記挿抜体の摺動を案内する２つの壁部とを備え、前記壁部の夫々は、前記摺動面に対し鈍角をなしていることを特徴とする挿抜体の案内構造によっても達成される。
【００４５】
【発明の実施の形態】
以下、図面に基づいて本発明の実施の形態を説明する。
【００４６】
［第１の実施の形態］
図１０は、本発明の挿抜ユニットの案内構造の第１の実施の形態を説明するための図であり、本発明の挿抜ユニットの案内構造の第１の実施の形態を備えた電子装置５０の斜視図である。
【００４７】
図１０を参照するに、本発明の挿抜ユニットの案内構造を備えた電子装置５０は、略箱形の形状を備えた装置本体５１と、装置本体の内部に挿抜される挿抜体たるユニット５２等から大略構成される。
【００４８】
装置本体５１の内部の上部には、案内部たる上側案内レール５３が上側案内レール取付台６０を介して、下部には、案内部たる下側案内レール５４が下側案内レール取付台６１を介して、電子装置５０の幅方向（Ｙ１−Ｙ２方向）に複数設けられている。上側案内レール５３と下側案内レール５４とは、装置本体５１の内部において対向して配置されている。
【００４９】
上側案内レール取付台６０の正面側（Ｘ１側）の面には螺子孔６０−１が、下側案内レール取付台６１の正面側（Ｘ１側）の面には螺子孔６１−１が形成されている。また、装置本体５１の奥側（Ｘ２側）には、バックプレーン５８が設けられている。バックプレーン５８には、コネクタ５９が備えられている。
【００５０】
ユニット５２の正面側（Ｘ１側）には、正面板５５が備えられている。正面板５５の上部及び下部には、上述の螺子孔６０−１及び６１−１に螺合される摘み螺子部５５−１が設けられている。また、図示を省略するが、ユニット５２の背面側（Ｘ２側）には、上述の装置本体５１のバックプレーン５８に備えられたコネクタ５９と嵌合するコネクタが備えられている。
【００５１】
ユニット５２のＹ１−Ｙ２方向側には、ユニット側面５６が設けられている。ユニット側面５６は、ユニット５２の内部に備えられたプリント配線板を電磁波障害（ＥＭＩ：Ｅｌｅｃｔｒｏｍａｇｎｅｔｉｃ  Ｉｎｔｅｒｆｅｒｅｎｃｅ）対策として被覆するものであり、圧延鋼板等の金属から成るカバーとして構成されている。
【００５２】
より具体的には、ユニット側面５６は、上部と下部とに、Ｙ−Ｚ方向における断面が曲面を形成しているユニット側面曲面部７９と、ユニット側面曲面部７９同士の間に設けられ、平坦な面を有するユニット側面平坦面部７８等から構成される。
【００５３】
ユニット５２は、上側案内レール５３及び下側案内レール５４において摺動により、装置本体５１に対しＸ１−Ｘ２方向に挿抜される。ユニット５２の頂面及び底面は、ユニット５２の上側案内レール５３及び下側案内レール５４における摺動において、上側案内レール５３及び下側案内レール５４と接する接触面として機能する。ユニット５２が、装置本体５１の内部に挿入されると、図示を省略するユニット５２のコネクタは、上述の装置本体５１のバックプレーン５８に備えられたコネクタ５９と嵌合接続される。更に、ユニット５２の正面板５５に設けられた摘み螺子部５５−１を装置本体５１に設けられた螺子孔６０−１及び６１−１に螺合することにより、ユニット５２の装置本体５１への実装が完成される。
【００５４】
図１１は、図１０に示す本発明の挿抜ユニットの案内構造を備えた電子装置５０において、図１０において斜線面で切断したときの要部の断面図である。
【００５５】
図１２は、図１１において点線で囲んだ部分を拡大して示した図である。なお、図１２では、上側案内レール５３及びその近傍が示されているが、下側案内レール５４及びその近傍も、これと同様の構造（形状及び大きさ）であるため図示を省略する。
【００５６】
図１１を参照するに、上述の装置本体５１における上側案内レール５３及び下側案内レール５４は、夫々板金加工により成形され、互いに対向している部分が開放している断面形状を備える。具体的には、底面部５３−１及び５４−１の両端を鈍角（９０度よりも大きな角度）に折曲して、壁部５３−２及び５４−２が設けられている。底面部５３−１及び５４−１は、ユニット５２を上側案内レール５３及び下側案内レール５４において摺動する際に、当該ユニット５２と接する摺動面として機能する。また、底面部５３−１及び５４−１と壁部５３−２及び５４−２とがなす角度を、レール開き角度Ｒという。なお、レール開き角度Ｒの設定については、後述する。
【００５７】
また、図１１においては説明の便宜のため図示を省略するシート２（図１０参照）が、下側案内レール５４の底面部５４−１に貼付されている。シート２は樹脂から成り、これによって、ユニット５２の下側案内レール５４に対する摺動性が高められている。
【００５８】
図１２を参照するに、ユニット側面５６が上側案内レール５３（下側案内レール５４）を円滑に摺動できるように、上述の上側案内レール５３（下側案内レール５４）の互いに対向する壁部５３−２（５４−２）の間隔である長さＰは、ユニット５２の幅（Ｙ１−Ｙ２方向の長さ）である長さＫに、所定の隙間として長さＬを加えた長さになるように設定されている。
【００５９】
また、図１１及び図１２を参照するに、互いに対向して配置された上側案内レール５３と下側案内レール５４との間の長さＱは、ユニット側面５６の高さ（Ｚ１−Ｚ２方向の長さ）である長さＭに、所定の隙間として長さＮを加えた長さになるように設定されている。
【００６０】
なお、図１２に示されるように、ユニット５２のユニット側面５６は、上部と下部とに、Ｙ−Ｚ方向における断面が曲面を形成しているユニット側面曲面部７９と、ユニット側面曲面部７９同士の間に設けられ、平坦な面を有するユニット側面平坦面部７８等から構成される。
【００６１】
次に、前述の底面部５３−１及び５４−１と、壁部５３−２及び５４−２とがなす角度であるレール開き角度Ｒの設定について説明する。
【００６２】
図１３は、図１１に示すレール開き角度Ｒの設定を説明するための図であり、図１４は、図１３において点線で囲んだ部分の拡大図である。
【００６３】
装置本体５１において、左側（Ｙ２側）に設けられている左側板７５と下側案内レール５４における右側（Ｙ１側）の壁部５４−２との間の間隔である長さＵが、製作図面の寸法値よりも公差の範囲内で小さく製作され、且つ、左側（Ｙ２側）に設けられている左側板７５と上側案内レール５３における左側（Ｙ２側）の壁部５３−２との間の間隔である長さＳが、製作図面の寸法値よりも公差の範囲内で大きく製作された場合、上側案内レール５３は下側案内レール５４に対し、相対的に右側（Ｙ１側）に位置する。従って、上側案内レール５３及び下側案内レール５４に案内されて挿入されたユニット５２は、装置本体１１に対し所定の角度（以下、「傾き角度」という）、右側（Ｙ１側）に傾く。
【００６４】
かかる傾き角度のうち、上述の長さＵが公差の範囲で許容できる最小値であり、且つ、長さＳが公差の範囲で許容できる最大値であるとき、即ち、公差の範囲内で上側案内レール５３及び下側案内レール５４とが最もずれたときの傾き角度（以下、「最大許容傾き角度」という）Ｔを後述する方法により算出し、底面部５３−１及び５４−１と壁部５３−２及び５４−２とが為す角度であるレール開き角度Ｒを、少なくとも、９０度と最大許容傾き角度Ｔとの和よりも大きな角度になるように設定して、壁部５３−２及び５４−２が設けられる。
【００６５】
なお、このとき、壁部５４−２（５３−２）の先端である壁部先端部５３−９及び５４−９がユニット５２のユニット側面５６に当接しないように、壁部先端部５３−９及び５４−９とユニット５２のユニット側面５６との間に所定の隙間として角度Ｖを、前記９０度と最大許容傾き角度Ｔとの和に更に含めて、レール開き角度Ｒを設定することが望ましい。このように設定することにより、壁部５３−２及び５４−２の先端である壁部先端部５３−９及び５４−９が、ユニット５２のユニット側面５６において平坦な面を有するユニット側面平坦面部７８に当接することを確実に回避することができる。
【００６６】
また、前述のように、上側案内レール５３も下側案内レール５４も板金加工により設けられているが、板金加工による加工対象物の切断時に壁部先端部５３−９及び５４−９に発生した鋭利なバリ（図７参照）の長さをも含んでレール開き角度Ｒを設定することが、更に望ましい。このように設定することにより、前記バリが発生しても、前記バリがユニット５２のユニット側面５６に接触することを回避することができるからである。
【００６７】
但し、レール開き角度Ｒがあまりに大きすぎると、ユニット５２が傾きすぎて倒れてしまうことがある。例えば、ユニット５２において高さ方向（Ｚ１−Ｚ２方向）における公差の範囲内で、上側案内レール５３と下側案内レール５４との間の長さＱ（図１１参照）が最も長い場合であっても、ユニット５２が傾きすぎて左右方向（Ｙ１−Ｙ２方向）に倒れることがないように、また、ユニット５２を搭載した装置本体５０を持ち運び等してもユニット５２が倒れることがないように、レール開き角度Ｒの上限が設定される。
【００６８】
次に、上述の最大許容傾き角度Ｔの算出について説明する。
【００６９】
図１５は、最大許容傾き角度Ｔの算出を説明するための図である。
【００７０】
図１５では、図１３に示される装置本体５１において、左側（Ｙ２側）に設けられている左側板７５と下側案内レール５４における右側（Ｙ１側）の壁部５４−２との間の間隔である長さＵが、製作図面の寸法値よりも公差の範囲内で最も小さく製作され、且つ、左側（Ｙ２側）に設けられている左側板７５と上側案内レール５３における左側（Ｙ２側）の壁部５３−２との間の間隔である長さＳが、製作図面の寸法値よりも公差の範囲内で最も大きく製作された場合における上側案内レール５３、下側案内レール５４及びユニット５２が示されている。
【００７１】
なお、厳密にいえば、この場合、図１５における左側（Ｙ２側）のユニット側面５６の頂部５６−１は、壁部５３−２上であって底面部５３−１と壁部５３−２とが接する部分から離れた箇所に位置するが、その箇所と底面部５３−１と壁部５３−２とが接する部分との間の距離は微小であるため、以下においては、前記頂部５６−１が底面部５３−１と壁部５３−２とが接する部分に位置している場合に最大許容傾き角度Ｔが形成されるとして算出する。
【００７２】
図１５を参照するに、最大許容傾き角度Ｔは、以下の計算式（１）で表される。
Ｔ＝θ１−θｕｎｉｔ    ・・・（１）
式（１）においてθ１は、以下の計算式（２）で表される。
θ１＝ｔａｎ−１（β／α）    ・・・（２）
ここで、αは、下側案内レール５４における底面部５４−１と右側（Ｙ１側）の壁部５４−２とが接する部分と、上側案内レール５３における底面部５３−１と左側（Ｙ２側）の壁部５３−２とが接する部分との間の、幅方向（Ｙ１−Ｙ２方向）の長さである。また、βは、上側案内レール５３と下側案内レール５４との間の高さ方向（Ｚ１−Ｚ２方向）の長さである。
【００７３】
また、式（１）におけるθｕｎｉｔは、以下の計算式（３）で表される。
θｕｎｉｔ＝ｔａｎ−１（Ｈｕｎｉｔ／Ｗｕｎｉｔ）    ・・・（３）
ここで、Ｈｕｎｉｔは、ユニット５２の高さ（ユニット５２が傾いていない場合におけるＺ１−Ｚ２方向の長さ）であり、Ｗｕｎｉｔは、ユニット５２の幅（ユニット５２が傾いていない場合におけるＹ１−Ｙ２方向の長さ）である。即ち、θｕｎｉｔは、ユニット５２の対角線と底面とがなす角度である。
【００７４】
式（２）及び式（３）を式（１）に代入すると、式（１）は、以下の式（４）のように書き換えられ、最大許容傾き角度Ｔが算出される。
Ｔ＝ｔａｎ−１（β／α）−ｔａｎ−１（Ｈｕｎｉｔ／Ｗｕｎｉｔ）    ・・・（４）
このように、底面部５３−１及び５４−１と壁部５３−２及び５４−２とがなす角度であるレール開き角度Ｒは、少なくとも、９０度と最大許容傾き角度Ｔとの和よりも大きな角度に、望ましくは、壁部先端部５３−９及び５４−９とユニット５２のユニット側面５６との間に所定の隙間に相当する角度Ｖを含めて、更には、バリ（図７参照）の長さをも含んで設定される。
【００７５】
よって、上側案内レール５３及び下側案内レール５４の寸法公差の範囲内における位置ずれに基づいてユニット５２が傾いてしまう場合であっても、レール開き角度Ｒの公差の範囲内において当該角度にずれが発生する場合であっても、更には、板金加工による加工対象物の切断時に壁部先端部５３−９及び５４−９に鋭利なバリが発生する場合であっても、何れの場合においても、壁部５３−２及び５４−２の先端である壁部先端部５３−９及び５４−９が、ユニット５２のユニット側面５６に接触することが回避される。
【００７６】
従って、ユニット５２を装置本体５１に挿抜するために、ユニット５２を上側案内レール５３及び下側案内レール５４において摺動しても、壁部先端部５３−９及び５４−９とユニット５２のユニット側面５６とが接触して、ユニット側面５６に擦れが発生してしまうことを回避することができる。よって、簡易な構造下で、前記擦れに起因して美観悪化による製品価値の低下につながるユニット側面平坦面部３８への傷の発生を回避して、装置の高品位化、高品質化を図ることができる。
【００７７】
［第２の実施の形態］
図１６は、本発明の挿抜ユニットの案内構造の第２の実施の形態を説明するための図であり、本発明の挿抜ユニットの案内構造の第２の実施の形態を備えた電子装置１５０の斜視図である。なお、図１６においては、図１０等に示す第１の実施の形態等と同じ部分については同じ符号を付してその説明を省略し、異なる部分についてのみ説明する。
【００７８】
また、図１７は、図１６に示す電子装置１５０の装置本体１５１を、図１６においてＸ１−Ｘ２方向にみたときの図である。図１８は、図１７に示す装置本体１５１を線Ｗ−Ｗに沿って切ったときの断面図である。図１７及び図１８においては、説明の便宜上、ユニット５２は装置本体１５１の最も右側（Ｙ１側）にある上側案内レール５３及び下側案内レール５４にのみ挿入されようとしている状態を表している。また、図１７及び図１８において、点線で囲まれた部分は拡大して示されている。
【００７９】
図１６を参照するに、本発明の挿抜ユニットの案内構造の第２の実施を備えた電子装置１５０の装置本体１５１において、上側案内レール５３及び下側案内レール５４の壁部５３−２及び５４−２の前面側（Ｘ１側）の端部から、第１案内導入部として機能する幅方向案内導入部５３−３及び５４−３が延在形成されている。具体的には、左側（Ｙ２側）の壁部５３−２及び５４−２の前面側（Ｘ１側）の端部からは、左側（Ｙ２側）の任意の角度の方向へ幅方向案内導入部５３−３及び５４−３が延在形成されている。また、右側（Ｙ１側）の壁部５３−２及び５４−２の前面側（Ｘ１側）の端部からは、右側（Ｙ１側）の任意の角度の方向へ幅方向案内導入部５３−３及び５４−３が延在形成されている。ここで、幅方向案内導入部５３−３及び５４−３と壁部５３−２及び５４−２とがなす上述の任意の角度の下限については特に制限は設けられていない。
【００８０】
かかる状態は、図１８を参照するに、装置本体１５１を上側から，即ち、図１６においてＺ１−Ｚ２方向にみたときに、１つの上側案内レール５３及び下側案内レール５４の左右に設けられた幅方向案内導入部５３−３及び５４−３は、略ハの字型に傾斜されて配置され、上側案内レール５３及び下側案内レール５４の前面側（Ｘ１側）の端部を開放している状態となっている。
【００８１】
前述の第１の実施形態においては、図１２に示されるように、互いに対向する壁部５３−２及び５４−２同士の間隔である長さＰは、ユニット５２の幅（Ｙ１−Ｙ２方向の長さ）である長さＫに、所定の隙間として長さＬを加えた長さになるように設定されている。即ち、ユニット側面５６が上側案内レール５３及び下側案内レール５４を円滑に摺動できるように、長さＫのユニット５２の幅に対し、長さＬの隙間だけ設けられている。従って、ユニット５２の装置本体５１への挿入を開始しようとする際において、上側案内レール５３及び下側案内レール５４の幅方向（Ｙ１−Ｙ２方向）における位置が定まりにくく、当該挿入の契機を認識し難い場合がある。
【００８２】
一方、第２の実施の形態においては更に、左側（Ｙ２側）の壁部５３−２及び５４−２の前面側（Ｘ１側）の端部から左側（Ｙ２側）の任意の角度の方向へ幅方向案内導入部５３−３及び５４−３が延在形成され、右側（Ｙ１側）の壁部５３−２及び５４−２の前面側（Ｘ１側）の端部から右側（Ｙ１側）の任意の角度の方向へ幅方向案内導入部５３−３及び５４−３が延在形成されている。
【００８３】
従って、図１７及び図１８に示されるように、ユニット５２を、上側案内レール５３（下側案内レール５４）において摺動させて装置本体１５１に挿入する際における左右方向（Ｙ１−Ｙ２方向）における位置ずれを、上側（Ｚ１−Ｚ２方向）からみたときに略ハの字型に配置された幅方向案内導入部５３−３及び５４−３が互いに対向する面をもって案内させることができる。
【００８４】
よって、ユニット５２の装置本体１５１への挿入を開始しようとする際において、上側案内レール５３及び下側案内レール５４の幅方向（Ｘ１−Ｘ２方向）における位置を容易に定めることができ、当該挿入の契機をつかみやすくして、円滑に挿入を開始させることができる。
【００８５】
なお、かかる観点から、幅方向案内導入部５３−３及び５４−３は、上側案内レール５３及び下側案内レール５４の双方に設けることが望ましいが何れか一方のみ設けても良く、また、上側案内レール５３及び下側案内レール５４の左側（Ｙ２側）又は右側（Ｙ１側）の少なくとも何れか一方に設けられていればよい。
【００８６】
なお、第２の実施の形態においても、第１の実施の形態と同様の効果も奏することができる。
【００８７】
［第３の実施形態］
図１９は、本発明の挿抜ユニットの案内構造の第３の実施の形態を説明するための図であり、本発明の挿抜ユニットの案内構造の第３の実施の形態を備えた電子装置１７０の斜視図である。なお、図１９においては、図１６等に示す第２の実施の形態等と同じ部分については同じ符号を付してその説明を省略し、異なる部分についてのみ説明する。
【００８８】
図２０は、図１９に示す電子装置１７０において、図１９において斜線面で切断したときの要部の断面図である。
【００８９】
第２の実施の形態では、左側（Ｙ２側）の壁部５３−２及び５４−２の前面側（Ｘ１側）の端部から、左側（Ｙ２側）の任意の角度の方向へ幅方向案内導入部５３−３及び５４−３が延在形成されており、また、右側（Ｙ１側）の壁部５３−２及び５４−２の前面側（Ｘ１側）の端部から、右側（Ｙ１側）の任意の角度の方向へ幅方向案内導入部５３−３及び５４−３が延在形成されていた。
【００９０】
図１９及び図２０を参照するに、第３の実施の形態では更に、上側案内レール５３及び下側案内レール５４の底面部５３−１及び５４−１の前面側（Ｘ１側）の端部から、高さ方向案内導入部５３−４及び５４−４が延在形成されている。具体的には、上側案内レール５３の底面部５３−１の前面側（Ｘ１側）の端部から、上側（Ｚ１側）の任意の角度の方向へ、第２導入案内部として機能する高さ方向案内導入部５３−４が延在形成されている。また、下側案内レール５４の底面部５４−１の前面側（Ｘ１側）の端部から、下側（Ｚ２側）の任意の角度の方向へ高さ方向案内導入部５４−４が延在形成されている。ここで、高さ方向案内導入部５３−４及び５４−４と底面部５３−１及び５４−１とがなす上述の任意の角度の下限については特に制限は設けられていない。
【００９１】
かかる構造にすることにより、ユニット５２の装置本体１５１への挿入を開始しようとする際において、上側案内レール５３及び下側案内レール５４の幅方向（Ｙ１−Ｙ２方向）における位置を幅方向案内導入部５３−３及び５４−３によって容易に定めることができ、且つ、上側案内レール５３及び下側案内レール５４の高さ方向（Ｚ１−Ｚ２方向）における位置を容易に定めることができ、当該挿入の契機をつかみやすくして、円滑に挿入を開始させることができる。
【００９２】
なお、図１９に示す例では、高さ方向案内導入部５３−４及び５４−４が、上側案内レール５３及び下側案内レール５４の双方に設けられているが、上側案内レール５３又は下側案内レール５４の少なくとも何れか一方に設けられていればよい。但し、図１９に示す例の如く、高さ方向案内導入部５３−４及び５４−４が、上側案内レール５３及び下側案内レール５４の双方に設けられていれば、ユニット５２を装置本体１７１に、より円滑に挿入することができる。
【００９３】
また、上側案内レール５３及び下側案内レール５４の高さ方向（Ｚ１−Ｚ２方向）における位置を容易に定めるという観点のみからすれば、図１０等に示す第１の実施の形態に示す構造において高さ方向案内導入部５３−４又は５４−４を設け、幅方向案内導入部５３−３及び５４−３の配置を省略してもよい。
【００９４】
［第４の実施の形態］
第１乃至第３の実施の形態においては、上側案内レール５３及び下側案内レール５４は、板金加工により成形された例を示したが、別の製造方法で製造した例が第４の実施の形態である。
【００９５】
図２１は、本発明の挿抜ユニットの案内構造の第４の実施の形態を説明するための図であり、本発明第４の実施の形態の挿抜ユニットの案内構造を備えた電子装置２００の斜視図である。なお、図２１においては、図１０等に示す第１の実施の形態等と同じ部分については同じ符号を付してその説明を省略し、異なる部分についてのみ説明する。
【００９６】
図２１を参照するに、第４の実施の形態の電子装置２００では、装置本体２０１の内部の上側には上側案内レール体２０３が、下側には下側案内レール体２０４が設けられている。上側案内レール体２０３および下側案内レール体２０４は、複数のユニット５２を案内するための複数の案内レール（例えば、図１０に示す複数の上側案内レール５３及び複数の下側案内レール５４）が、ダイキャスト、切削或いは射出成型等で一体として成形され、案内体として機能する。
【００９７】
但し、第４の実施の形態においても、底面部２０３−１及び２０４−１と壁部２０３−２及び２０４−２とがなす角度たるレール開き角度Ｒは、図１０等に示す第１の実施の形態等と同じように設定され、第１の実施の形態と同様の効果を奏することができる。
【００９８】
以上本発明の好ましい実施例について詳述したが、本発明は係る特定の実施形態に限定されるものではなく、特許請求の範囲に記載された本発明の要旨の範囲内において、種々の変形・変更が可能である。
【００９９】
例えば、図２２に示すような変形例を採用することができる。ここで、図２２は、本発明の第１乃至第４の実施の形態の変形例を示す図である。
【０１００】
上述の第１乃至第４の実施の形態においては、ユニット５２の装置本体５１への最終的な実装は、ユニット５２の正面板５５に設けられた摘み螺子部５５−１を、装置本体５１、１５１及び１７１に設けられた螺子孔６０−１及び６１−１と螺合することにより行われるが、本発明の適用は、かかる場合に限定されない。
【０１０１】
即ち、図２１に示されるように、ユニット２５２の正面側（Ｘ１側）に設けられた正面板２５５の上部（Ｚ１側）及び下部（Ｚ２側）にレバー部材２５６を内蔵し、かかるレバー部材２５６を用いて梃子の原理を利用してユニット２５２を装置本体２５１に実装する場合にも、本発明を適用することができる。
【０１０２】
また、図示を省略するが、ユニットの正面側（Ｘ１側）に、ユニットを把持するためのハンドルを設け、かかるハンドルを用いて、ユニットを装置本体に挿抜する構造にも本発明を適用することができる。即ち、上側案内レール及び下側案内レールが上述の構造を備える限り、本発明の適用については、ユニットの装置本体への実装の仕方に関し特に限定はない。
【０１０３】
更に、上述の各実施の形態においては、ユニットの長手方向を装置本体の高さ方向にとり、案内レールを装置本体の上部及び下部に対向配置している構造を採用しているが、本発明はこれに限られない。例えば、本発明を、ユニットの長手方向を装置本体の幅方向とし、案内レールを装置本体の左右に対向配置した構造にも適用することができる。
【０１０４】
また、上述の各実施の形態においては、電子装置における挿抜ユニットの案内構造として本発明を説明したが、本発明はこれに限られない。即ち、本発明は、案内部を内部に備えた本体と、前記案内部において摺動させることにより前記本体に対し挿抜される挿抜体と、を備えた、他の挿抜体の案内構造にも適用することができる。
【０１０５】
なお、本発明は、以下に記載する付記のような構成が考えられる。
（付記１）  案内部を内部に備えた本体と、
前記案内部において摺動されることにより前記本体に対し挿抜される挿抜体とを備えた挿抜体の案内構造において、
前記案内部は、前記摺動の際に前記挿抜体と接する摺動面と、前記摺動面に接続され前記挿抜体の摺動を案内する壁部とを備え、
前記壁部は、前記摺動面に対し鈍角をなしていることを特徴とする挿抜体の案内構造。
（付記２）  前記挿抜体は、前記摺動の際に前記本体の前記摺動面と接する接触面と、前記接触面と略垂直方向に設けられた側面とを備え、
前記側面は、前記摺動の際に前記本体の前記壁部と接触しないことを特徴とする付記１記載の挿抜体の案内構造。
（付記３）  前記案内部の前記壁部であって前記挿抜体の挿入方向の上流側の端部に角度をなして第１案内導入部が接続され、
前記挿抜体の前記案内部への挿入が導入される部分が拡開されていることを特徴とする付記１乃至２記載の挿抜体の案内構造。
（付記４）  内部に２つの案内部が一組として対向配置された本体と、
前記２つの案内部が対向する方向と略垂直方向に摺動されることにより前記本体に対し挿抜される挿抜体とを備えた挿抜体の案内構造において、
前記案内部の夫々は、前記摺動の際に前記挿抜体と接する摺動面と、前記摺動面の両端に接続され前記挿抜体の摺動を案内する２つの壁部とを備え、
前記壁部の夫々は、前記摺動面に対し鈍角をなしていることを特徴とする挿抜体の案内構造。
（付記５）  前記２つの案内部の前記夫々の壁部であって前記挿抜体の挿入方向の上流側の端部に角度をなして第１案内導入部が夫々接続され、
前記挿抜体の前記案内部への挿入が導入される部分が拡開されていることを特徴とする付記３記載の挿抜体の案内構造。
（付記６）  前記案内部の前記摺動面であって前記挿抜体の挿入方向の上流側の端部に角度をなして第２案内導入部が接続され、
前記挿抜体の前記案内部への挿入が導入される部分が拡開されていることを特徴とする付記１乃至５記載の挿抜体の案内構造。
（付記７）  前記案内部は、前記本体の内部において前記摺動の方向に延設されたレールであることを特徴とする付記１乃至６記載の挿抜体の案内構造。
（付記８）  前記壁部は、前記摺動面から延在し板金加工によって折曲されて設けられたこと特徴とする付記１乃至７記載の挿抜体の案内構造。
（付記９）  前記案内部は、ダイキャスト、切削又は射出成形により、複数一体となって成形され、案内体を形成することを特徴とする付記１乃至８記載の挿抜体の案内構造。
【０１０６】
【発明の効果】
以上詳述したところから明らかなように、本発明によれば、簡易な構造で、本体に摺動によって挿抜される挿抜体の外面において当該挿抜の際に傷が発生することを防止することが可能となる。
【図面の簡単な説明】
【図１】従来の電子装置の第１の例を示す斜視図である。
【図２】図１に示す従来の電子装置１０において、図１において斜線面で切断したときの要部の断面図である。
【図３】図２において点線で囲んだ部分を拡大して示した図である。
【図４】従来の電子装置の第２の例を示す斜視図である。
【図５】図１に示す電子装置１０における第１乃至第３の問題を説明するための図である。
【図６】図１に示す電子装置１０における第１乃至第３の問題を説明するための図である。
【図７】図１に示す電子装置１０における第３の問題を説明するための図である。
【図８】擦れにより傷が発生したユニット１２を説明するための図である。
【図９】図８に示すユニット１２において、図８において斜線面で切断したときの断面図である。
【図１０】本発明の挿抜ユニットの案内構造の第１の実施の形態を説明するための図である。
【図１１】図１０に示す本発明の挿抜ユニットの案内構造を備えた電子装置５０において、図１０において斜線面で切断したときの要部の断面図である。
【図１２】図１１において点線で囲んだ部分を拡大して示した図である。
【図１３】図１１に示すレール開き角度Ｒの設定を説明するための図である。
【図１４】図１３において点線で囲んだ部分の拡大図である。
【図１５】最大許容傾き角度Ｔの算出を説明するための図である。
【図１６】本発明の挿抜ユニットの案内構造の第２の実施の形態を説明するための図である。
【図１７】図１６に示す電子装置１５０の装置本体１５１を、図１６においてＸ１−Ｘ２方向にみたときの図である。
【図１８】図１７に示す装置本体１５１を線Ｗ−Ｗに沿って切ったときの断面図である。
【図１９】本発明の挿抜ユニットの案内構造の第３の実施の形態を説明するための図である。
【図２０】図１９に示す電子装置１７０において、図１９において斜線面で切断したときの要部の断面図である。
【図２１】本発明の挿抜ユニットの案内構造の第４の実施の形態を説明するための図である。
【図２２】本発明の第１乃至第４の実施の形態の変形例を示す図である。
【符号の説明】
５０、１５０、１７０、２００                    電子装置
５１、１５１、１７１、２０１                    装置本体
５２                                            ユニット
５３、１５３、２０３                            上側案内レール
５３−１、５４−１、２０３−１、２０４−１      底面部
５３−２、５４−２、２０３−２、２０４−２      壁部
５３−３、５４−３                              幅方向案内導入部
５３−４、５４−４                              高さ方向案内導入部
５４、１５４、２０４                            下側案内レール
５６                                            ユニット側面
２０３                                          上側案内レール体
２０４                                          下側案内レール体
【図１】
2004296694.tif 000003
【図２】
2004296694.tif 000004
【図３】
2004296694.tif 000005
【図４】
2004296694.tif 000006
【図５】
2004296694.tif 000007
【図６】
2004296694.tif 000008
【図７】
2004296694.tif 000009
【図８】
2004296694.tif 000010
【図９】
2004296694.tif 000011
【図１０】
2004296694.tif 000012
【図１１】
2004296694.tif 000013
【図１２】
2004296694.tif 000014
【図１３】
2004296694.tif 000015
【図１４】
2004296694.tif 000016
【図１５】
2004296694.tif 000017
【図１６】
2004296694.tif 000018
【図１７】
2004296694.tif 000019
【図１８】
2004296694.tif 000020
【図１９】
2004296694.tif 000021
【図２０】
2004296694.tif 000022
【図２１】
2004296694.tif 000023
【図２２】
2004296694.tif 000024